(57)【要約】【課題】開口部から外気導入路を通して屋外騒音が室内に伝搬することを防止できる自然換気システム１を提供する。【解決手段】本発明に係る自然換気システム１は、建物の外壁５の一部に設けられた開口部１０と、前記開口部１０から建物の室内側に延在する外気導入路１５と、を有する自然換気システム１であって、前記開口部１０の近傍に遮音体１００が配されることを特徴とする。【選択図】      図４
2018194244.tif 000002
【特許請求の範囲】
【請求項１】
建物の外壁の一部に設けられた開口部と、
前記開口部から建物の室内側に延在する外気導入路と、を有する自然換気システムであって、
前記開口部の近傍に遮音体が配されることを特徴とする自然換気システム。
【請求項２】
前記遮音体が平板状の遮音板であることを特徴とする請求項１に記載の自然換気システム。
【請求項３】
前記遮音体が前記開口部の下端部に配されることを特徴とする請求項１に記載の自然換気システム。
【請求項４】
前記遮音体が前記開口部の下端部から所定距離離間され配されることを特徴とする請求項１に記載の自然換気システム。
【請求項５】
前記遮音体が第１平板部と、前記第１平板部から延在すると共に、前記第１平板部の主面と平行でない主面を有する第２平板部とを有することを特徴とする請求項１乃至請求項３のいずれか１項に記載の自然換気システム。
【発明の詳細な説明】
【技術分野】
【０００１】
本発明は、建物の外壁の一部に換気用の開口部を設けた自然換気システムに関する。
【背景技術】
【０００２】
建物の消費エネルギーを減らすために、外壁に開口部を配し、室外側と室内側とを連通する外気導入路を設けることで、外気を室内側に自然導入する自然換気システムが採用される場合がある。
【０００３】
例えば、特許文献１（特開２００３−８２７９１号公報）には、採光や通風の確保ができるように壁面に開口部を形成した壁構造が開示されている。
【特許文献１】特開２００３−８２７９１号公報
【発明の概要】
【発明が解決しようとする課題】
【０００４】
しかしながら、外壁に設けられた開口部から前記外気導入路を通して、屋外騒音が室内に伝搬するため、室内騒音のレベルが上昇し静音性が確保できなくなることが自然換気システムの課題となっていた。
【課題を解決するための手段】
【０００５】
この発明は、上記課題を解決するものであって、本発明に係る自然換気システムは、建物の外壁の一部に設けられた開口部と、前記開口部から建物の室内側に延在する外気導入路と、を有する自然換気システムであって、前記開口部の近傍に遮音体が配されることを特徴とする。
【０００６】
また、本発明に係る自然換気システムは、前記遮音体が平板状の遮音板であることを特徴とする。
【０００７】
また、本発明に係る自然換気システムは、前記遮音体が前記開口部の下端部に配されることを特徴とする。
【０００８】
また、本発明に係る自然換気システムは、前記遮音体が前記開口部の下端部から所定距離離間され配されることを特徴とする。
【０００９】
また、本発明に係る自然換気システムは、前記遮音体が第１平板部と、前記第１平板部から延在すると共に、前記第１平板部の主面と平行でない主面を有する第２平板部とを有することを特徴とする。
【発明の効果】
【００１０】
本発明に係る自然換気システムにおいては、開口部の近傍に遮音体が配されているので、本発明に係る自然換気システムによれば、開口部から外気導入路を通して屋外騒音が室内に伝搬することを防止できる。
【００１１】
また、本発明に係る自然換気システムによれば、自然換気システム自体が遮音欠損となることを防ぎ、建物外装壁の遮音性能を向上することができる。その結果、外気を自然導入する自然換気システムが採用された場合においても、室内騒音のレベルの上昇を防止し、静音性を確保することが可能となる。また、このとき、室内への外気導入と空気の流通は維持ができる。
【００１２】
また、本発明に係る自然換気システムにおいては、遮音体は同一断面の長尺体で構成可能であり、製作及び取付けが容易である。
【００１３】
また、本発明に係る自然換気システムにおいては、遮音体の回折減衰により騒音低減効果を得る為、周波数依存性が少ない。このため、交通騒音など幅広い周波数成分を持つ屋外騒音に対しても有効である。
【００１４】
また、本発明に係る自然換気システムにおける遮音体は、それより下階に対しては、上方からの日射を遮る庇としての機能を併せ持つ。建物内の音環境を改善すると共に、温熱環境を改善すること、建物の熱負荷を下げることで建物全体としてのエネルギー消費を低減することができる。
【図面の簡単な説明】
【００１５】
【図１】従来の自然換気システム１の斜視図である。
【図２】従来の自然換気システム１の断面図である。
【図３】本発明の第１実施形態に係る自然換気システム１の斜視図である。
【図４】本発明の第１実施形態に係る自然換気システム１の断面図である。
【図５】本発明の第２実施形態に係る自然換気システム１の断面図である。
【図６】本発明の第３実施形態に係る自然換気システム１の斜視図である。
【図７】本発明の第３実施形態に係る自然換気システム１の断面図である。
【図８】本発明の第４実施形態に係る自然換気システム１の断面図である。
【図９】本発明の第５実施形態に係る自然換気システム１の断面図である。
【図１０】本発明の第６実施形態に係る自然換気システム１の断面図である。
【発明を実施するための形態】
【００１６】
以下、本発明の実施の形態を図面を参照しつつ説明する。まず、従来の自然換気システム１について説明する。図１は従来の自然換気システム１の斜視図であり、図２は従来の自然換気システム１の断面図である。
【００１７】
図２の断面図は、図１における点線で囲まれた部分を示すものである。以下の自然換気システム１の断面図についても同様の箇所を示すものとする。
【００１８】
自然換気システム１は、建物の外壁５の一部に設けられた開口部１０と、この開口部１０から建物の室内３側に延在する外気導入路１５と、を有するものである。このような自然換気システム１によれば、室外２から室内３への外気導入と空気の流通が維持できる。
【００１９】
このような従来の自然換気システム１では、外壁５に設けられた開口部１０から外気導入路１５を通して、屋外の騒音源から騒音が室内３に伝搬するため、室内騒音のレベルが上昇し静音性が確保できなくなる。なお、騒音源の方向は破線の矢印が示す方向であるものとする。
【００２０】
そこで、本発明に係る自然換気システム１においては、開口部１０の近傍に遮音体１００を設けるようにしている。図３は本発明の第１実施形態に係る自然換気システム１の斜視図であり、図４は本発明の第１実施形態に係る自然換気システム１の断面図である。
【００２１】
本実施形態では、開口部１０は水平方向に長手方向を有するスリット状のものを例に挙げて説明するが、自然換気システム１の開口部１０の形状がこれに限られるものではない。
【００２２】
本発明に係る自然換気システム１による遮音性能向上方法は、外気を導入する換気用の開口部１０の下端部１３に、同一断面の長尺状の遮音板１０５が設置されている構造を持つ。本実施形態では、遮音体１００としては、水平方向と平行な主面を有する遮音板１０５が用いられている。本実施形態では、このように遮音板１０５を水平に設置した例を示したが、遮音板１０５は必ずしも水平に設置する必要はない。
【００２３】
また、遮音板１０５としては、低減したい騒音の周波数成分に対して、十分な遮音性能（音響透過損失）を持つものを用いる。
【００２４】
本発明に係る自然換気システム１においては、遮音板１０５は、図中に破線で示した騒音源と、開口部１０の上端部１１を結ぶ線より室外側に先端が位置するように設置する。このように遮音板１０５を設置することで、自然換気システム１の外気導入路１５内に騒音が直接伝搬することを防止する。外気導入路１５内に伝搬する騒音は、遮音板１０５の先端を回折することにより減衰する。
【００２５】
図２、図４には、遮音板の有無における騒音伝搬の模式図が示されている。遮音板が無い、従来の自然換気システム１の場合は、騒音は、騒音源から外気導入路１５に直接伝搬する。一方で、上記のように遮音板１０５を設置した、本発明に係る自然換気システム１の場合、騒音の伝搬経路が遮音板１０５により遮蔽され、遮音板１０５の先端で回折減衰した後の騒音が、外気導入路１５に伝搬する。
【００２６】
このように、本発明に係る自然換気システム１においては、開口部１０の近傍に遮音体１００が配されているので、本発明に係る自然換気システム１によれば、開口部１０から外気導入路１５を通して屋外騒音が室内３に伝搬することを防止できる。
【００２７】
また、本発明に係る自然換気システム１によれば、自然換気システム自体が遮音欠損となることを防ぎ、建物外装壁の遮音性能を向上することができる。その結果、外気を自然導入する自然換気システムが採用された場合においても、室内騒音のレベルの上昇を防止し、静音性を確保することが可能となる。また、このとき、室内３への外気導入と空気の流通は維持ができる。
【００２８】
また、本発明に係る自然換気システム１においては、遮音体１００は同一断面の長尺体（遮音板１０５）で構成可能であり、製作及び取付けが容易である。
【００２９】
また、本発明に係る自然換気システム１においては、遮音体１００の回折減衰により騒音低減効果を得る為、周波数依存性が少ない。このため、交通騒音など幅広い周波数成分を持つ屋外騒音に対しても有効である。
【００３０】
また、本発明に係る自然換気システム１における遮音体１００は、それより下階に対しては、上方からの日射を遮る庇としての機能を併せ持つ。建物内の音環境を改善すると共に、温熱環境を改善すること、建物の熱負荷を下げることで建物全体としてのエネルギー消費を低減することができる。
【００３１】
次に、本発明の他の実施形態について説明する。図５は本発明の第２実施形態に係る自然換気システム１の断面図である。第２実施形態に係る自然換気システム１においては、遮音体１００として遮音板１０５が、開口部１０の下端部１３の下端部から所定距離ｄ離間されるようにして配されている。このような実施形態は、開口部１０の下端部１３に遮音板１０５を設けるスペースがない場合に有効であるが、遮音板１０５を開口部１０の下端部１３に接して設置する第１実施形態に係る構造は、遮音板１０５の張出しを最小限に抑えることができ、経済的である。
【００３２】
次に、本発明の他の実施形態について説明する。図６は本発明の第３実施形態に係る自然換気システム１の斜視図であり、図７は本発明の第３実施形態に係る自然換気システム１の断面図である。騒音源が遠方にあるなどの理由で騒音の入射角度が浅い場合、上方に立ち上げた遮音体１００を設置することで、騒音低減効果を維持しつつ遮音体１００の張出しを最小限に抑えることができる。
【００３３】
このため、第３実施形態に係る自然換気システム１においては、遮音体１００として、第１平板部１１０と、この第１平板部１１０から延在すると共に、第２平板部１２０とを有するものが用いられている。
【００３４】
本実施形態では、第１平板部１１０の主面と、第２平板部１２０の主面とが垂直な関係を有するものとなっているが、第１平板部１１０の主面と、第２平板部１２０の主面とが平行の関係でなければ、第１平板部１１０と第２平板部１２０とはどのようなものを用いてもよい。
【００３５】
このような実施形態によっても、第１実施形態と同様の効果を享受することができる。
【００３６】
次に、本発明の他の実施形態について説明する。図８は本発明の第４実施形態に係る自然換気システム１の断面図である。
【００３７】
第４実施形態に係る自然換気システム１では、立ち上げた第２平板部１２０の先端が開口部１０の上端部１１より上方に位置するように遮音体１００を設置すると、少なくとも開口部１０に対して俯角方向（下方）から入射する騒音について、外気導入路１５に直接伝搬することを防止することができる。このような遮音体１００は、騒音源が特定できない場合や騒音の入射角度が明確でない場合に有効である。
【００３８】
次に、本発明の他の実施形態について説明する。図９は本発明の第５実施形態に係る自然換気システム１の断面図である。また、図１０は本発明の第６実施形態に係る自然換気システム１の断面図である。これまでの実施形態では、遮音体１００は薄板状の形態を例として示したが、遮音体１００は必ずしも薄板状である必要は無い。
【００３９】
本発明に係る自然換気システム１の要点は、騒音源と開口部１０の上端部１１を結ぶ線より室外側に先端が位置するように音響的な遮蔽物、すなわち、遮音体１００を設置することであり、音響的な遮蔽物は様々な形態をとり得る。図９や図１０に示すように厚みのある矩形断面１３２や三角形断面１３３のバルク体１３０を、遮音体１００として設置しても良い。
【００４０】
このようなバルク体１３０からなる遮音体１００は、建物外装の一部として組み込んでも良いし、建物外装への付加物として設置しても良い。
【００４１】
なお、遮音体１００の断面形状は様々な形態をとり得るため、薄板状、厚みのある矩形、三角形に限定されるものではない。
【００４２】
以上、本発明に係る自然換気システムにおいては、開口部の近傍に遮音体が配されているので、本発明に係る自然換気システムによれば、開口部から外気導入路を通して屋外騒音が室内に伝搬することを防止できる。
【００４３】
また、本発明に係る自然換気システムによれば、自然換気システム自体が遮音欠損となることを防ぎ、建物外装壁の遮音性能を向上することができる。その結果、外気を自然導入する自然換気システムが採用された場合においても、室内騒音のレベルの上昇を防止し、静音性を確保することが可能となる。また、このとき、室内への外気導入と空気の流通は維持ができる。
【００４４】
また、本発明に係る自然換気システムにおいては、遮音体は同一断面の長尺体で構成可能であり、製作及び取付けが容易である。
【００４５】
また、本発明に係る自然換気システムにおいては、遮音体の回折減衰により騒音低減効果を得る為、周波数依存性が少ない。このため、交通騒音など幅広い周波数成分を持つ屋外騒音に対しても有効である。
【００４６】
また、本発明に係る自然換気システムにおける遮音体は、それより下階に対しては、上方からの日射を遮る庇としての機能を併せ持つ。建物内の音環境を改善すると共に、温熱環境を改善すること、建物の熱負荷を下げることで建物全体としてのエネルギー消費を低減することができる。
【符号の説明】
【００４７】
１・・・自然換気システム
２・・・室外
３・・・室内
５・・・外壁
１０・・・開口部
１１・・・上端部
１３・・・下端部
１５・・・外気導入路
１００・・・遮音体
１０５・・・遮音板
１１０・・・第１平板部
１２０・・・第２平板部
１３０・・・バルク体
１３２・・・矩形断面
１３３・・・三角形断面
【図１】
2018194244.tif 000003
【図２】
2018194244.tif 000004
【図３】
2018194244.tif 000005
【図４】
2018194244.tif 000006
【図５】
2018194244.tif 000007
【図６】
2018194244.tif 000008
【図７】
2018194244.tif 000009
【図８】
2018194244.tif 000010
【図９】
2018194244.tif 000011
【図１０】
2018194244.tif 000012